(57)【特許請求の範囲】
【請求項１】
所定の大きさのシートの内側に位置した仮想の第一の円周上に位置し、前記第一の円周上をｎ等分した位置に設けられたｎ個の切込始点と、
前記第一の円周と中心点が等しく、前記第一の円周よりも小さい半径を有する仮想の第二の円周上をｎ等分するとともに、前記中心点と前記切込始点とを結ぶ直線から前記シートの一方の側から見て反時計回りに所定距離離れた位置に設けられたｎ個の切込終点と、
前記各切込始点間の前記シートから外側に延びて前記シートの外周部分に形成されたｎ枚の外周片と、
前記各切込始点とその切込始点に最も近接する前記各切込終点とをそれぞれ直線的に結び、前記中心点と前記切込始点とを結ぶ直線に対して各々一定の角度傾斜して形成されたｎ本の切り込みとが設けられ、
前記外周片は、前記第二の円周に沿ってその内側部に対して垂直方向に折り曲げられることにより、前記各外周片の前記切り込みの両側の前記各外周片は、前記折り曲げ時に、前記シートの一方の側から見て前記切り込みの右隣りの前記外周片が左隣の前記外周片の一方の側に常に重ねられて位置するように連立することを特徴とする包装シート。
【請求項２】
前記ｎは５以上の整数である請求項１記載の包装シート。
【請求項３】
前記外周片は、笹の葉状に形成されたものである請求項２記載の包装シート。
【発明の詳細な説明】
【技術分野】
【０００１】
この発明は、円筒状製品等の包装に用いる包装シートに関する。
【背景技術】
【０００２】
従来、円筒状製品を包装するための包装シートとして、例えば図７、図８に示すように、複数枚の笹の葉を組み合わせて一つの包装シートを構成するものがあった。包装シート１０は、例えば、富山名産の鱒寿司の内側包装のように、笹の葉１０ａの中央からやや端よりの位置を中心点１０ｅとし、中心点１０ｅを軸に８枚の笹の葉１０ａをそれぞれ均等角度にずらした放射状に配置し、任意の順番に積み重ねて形成されている。図７において、包装シート１０の内部に仮想線で描かれた二つの円周は、内部に収容する円筒状製品１２の外形寸法により定められる。具体的には、包装シート１０に収容される円筒状製品１２の底面１２ｂの半径をＲ２、側面１２ａの高さをＨとすると、第一の円周Ｓ１は半径（Ｒ２＋Ｈ）の円、第二の円周Ｓ２は半径Ｒ２の円である。そして、笹の葉１０ａは、長手方向は２・Ｒ１程度の長さに、短手方向はＲ２程度の幅に形成されている。
【０００３】
以下、包装シート１０の各部位について、第一の円周Ｓ１の外側の部位を外周片１０ｂ、第一の円周Ｓ１から第二の円周Ｓ２までの部位を中間部１０ｃ、第二の円周Ｓ２の内側の部位を内側部１０ｄと称する。
【０００４】
次に、この包装シート１０を用いた包装方法を説明する。この包装方法においては、円筒状製品１２の外径よりも僅かに大きな開口部１４ａを有し、深さが円筒状製品１２の高さＨよりも僅かに深い円筒状の箱体１４が用いられる。まず、図８（ａ）に示すように、包装シート１０を、第二の円周Ｓ２と開口部１４ａの中心点が合うように、箱体１４の上方に配置する。そして、円筒状製品１２を包装シート１０の上方に配置し、包装シート１０を介して開口部１４ａに挿入する。すると、各笹の葉１０ａの中間部１０ｃは、円筒状製品１２の側面１２ａと箱体１４の内側側面１４ｂに挟まれ、内側部１０ｄに対してほぼ垂直に折り曲げられる。そして、円筒状製品１２は、底面１２ｂが内側部１０ｄを介して箱体１４の内側底面１４ｃに当接するまで挿入される。このとき、図８（ｂ）に示すように、８枚の笹の葉１０ａが有する外側部１０ｂは、左右両隣の外側部１０ｂと内外に重なり合うように、円筒状製品１２の側面１２ａに沿って連立した状態となる。
【０００５】
次に、図８（ｃ）に示すように、外側部１０ｂを円筒状製品１２の上面１２ｃの中心方向に向けてほぼ直角に折り曲げる。このとき、８枚の外側部１０ｂのうち、重なり合う最も内側のものから順番に折り曲げることによって、図８（ｄ）に示すように、外側部１０ｂが折り重なった上面は、きれいな平面に仕上がる。そして、上方から蓋１６を被せ、図示しない紐で縛って包装が完了する。
【０００６】
また、特許文献１に開示されているように、包装シートを円筒状に形成して製品を収容し、その円筒の上端周回部に所定の間隔に切り込みを入れることによって形成された折曲片を、製品の上面に合わせて円形に曲げ込む容器が開示されている。
【特許文献１】特開２００５−１６２８６４号公報
【発明の開示】
【発明が解決しようとする課題】
【０００７】
しかし、笹の葉１０ａを用いて包装する方法にあっては、円筒状製品１２の表面全体を隙間なくきれいに覆うために、８枚の笹の葉１０ａの中心点１０ｅをきれいに合わせ、中心点を軸にできるだけ均等な角度にずらして積み重ねる必要があり、その作業は煩雑で手間のかかるものであった。
【０００８】
また、特許文献１の包装紙にあっては、金型による打ち抜き等によって形成したシート片を円筒状に組み立て、所定の箇所を接着剤などでシールする作業が必要であった。また、円筒の上端周回部に形成された折曲片を、左右両隣りの折曲片と順序よく重なり合うように内側に曲げ込む作業は、面倒なものであった。一方、切り込みを入れる代わりに、余剰部分を所定の形状に折り畳む構造も考えられるが、きれいに折り畳むためには、事前に折り目を入れておく等の工程が必要であり、これも面倒なものであった。
【０００９】
本発明は上記背景技術に鑑みてなされたもので、一枚のシートを用いて円筒状製品の表面全体を容易に覆うことができ、包装された状態でシート表面にほとんどしわが発生せず見栄えのよい包装を行うことが可能な包装シートを提供することを目的とする。
【課題を解決するための手段】
【００１０】
この発明は、所定の大きさのシートの内側に位置した仮想の第一の円周上に位置し、前記第一の円周上をｎ等分した位置に設けられたｎ個の切込始点と、前記第一の円周と中心点が等しく、前記第一の円周よりも小さい半径を有する仮想の第二の円周上をｎ等分するとともに、前記中心点と前記切込始点とを結ぶ直線から前記シートの一方の側から見て反時計回りに所定距離離れた位置に設けられたｎ個の切込終点と、前記各切込始点間の前記シートから外側に延びて前記シートの外周部分に形成されたｎ枚の外周片と、前記各切込始点とその切込始点に最も近接する前記各切込終点とをそれぞれ直線的に結び、前記中心点と前記切込始点とを結ぶ直線に対して各々一定の角度傾斜して形成されたｎ本の切り込みとが設けられ、前記外周片は、前記第二の円周に沿ってその内側部に対して垂直方向に折り曲げられることにより、前記各外周片の前記切り込みの両側の前記各外周片は、前記折り曲げ時に、前記シートの一方の側から見て前記切り込みの右隣りの前記外周片が左隣の前記外周片の一方の側に常に重ねられて位置するように連立する包装シートである。
【００１１】
前記ｎは５以上の整数が好ましい。さらに、前記外周片は、笹の葉状に形成された包装シートである。
【発明の効果】
【００１２】
この発明の包装シートによれば、一枚のシートで、円筒状製品の側面、底面、上面全体を覆うことができる。また、包装された状態で包装シートの表面にほとんどしわが発生せず見栄えのよい包装状態を実現することができる。また、円筒状の孔を有する治具を用いれば、熟練性を要することなく、シートの重なり部分を規則正しくきれいに仕上げることできる。さらに、これらの包装シートや治具は単純な構造であるため、包装作業の自動化も容易である。
【発明を実施するための最良の形態】
【００１３】
本発明の包装シートの第一の実施形態を図１〜図４に基づいて説明する。なお、前述の背景技術で説明した包装シート１０と同様の構成は、同一の符号を付して説明する。包装シート３０は、紙材、塩化ビニルやポリエチレンなどの合成樹脂フィルム、あるいは、食品包装用の専用紙等、一般的に包装用に用いられるシート材である。
【００１４】
図１に示すように、包装シート３０は、略円形の輪郭３２を有するシート材から打ち抜き等により切り出される。輪郭３２の内側には、中心点３０ｄを中心とする第一の円周Ｓ２上を１２等分する切込始点Ａが１２個設定される。次に、同じく中心点３０ｄを中心とし、前記第一の円周Ｓ１よりも半径が小さい第二の円周Ｓ２上を１２等分するとともに、中心点３０ｄと切込始点Ａとを結ぶ直線から僅かな距離、図面上では、包装シート３０の内側から見て反時計回りに一定距離離れた位置に、切込終点Ｂが１２個設定される。そして、隣り合う切込始点Ａ同士を結ぶ外周片３０ａが、１２枚形成されている。外周片３０ａは、笹の葉の横半分のような形状に形成されている。さらに、切込始点Ａと、その切込始点Ａに最も近い切込終点Ｂとをそれぞれ直線的に結ぶ切り込み３５が入れられる。従って、各切り込み３５は、中心点３０ｄと切込始点Ａとを結ぶ直線に対して、各々一定の角度傾斜して形成されている。また、後述する折り曲げ加工を行ったとき、切込終点Ｂ付近に応力が集中し、亀裂が発生するのを防止するため、切込終点Ｂに続いて小さい円弧状の切り込み３６が施されている。
【００１５】
ここで、以下の説明上、包装シート３０の各部位について、第一の円周Ｓ１から第二の円周Ｓ２までの部位を中間部３０ｂ、第二の円周Ｓ２の内側の部位を内側部３０ｃと称する。
【００１６】
次に、この包装シート３０を用いた包装方法を説明する。本実施形態においては、円筒状製品１２の外径よりも僅かに大きな開口部１０ａを有し、深さが円筒状製品１２の高さＨよりも僅かに深い円筒状の箱体１４が用いられる。まず、図２（ａ）に示すように、包装シート３０を、第二の円周Ｓ２の中心点３０ｄと、円筒状の内形を有する箱体１４の開口部１４ａの中心点とが一致するように、箱体１４の上方に配置する。そして、円筒状製品１２を包装シート３０の上方に配置し、包装シート３０を介して開口部１４ａに挿入する。
【００１７】
すると、包装シート３０の中間部３０ｂは、円筒状製品１２の側面１２ａと箱体１４の内側側面１４ｂに挟まれ、内側部３０ｃに対してほぼ垂直に折り曲げられる。そして、円筒製品１２は、底面１２ｂが内側部３０ｃを介して箱体１４の内側底面１４ｃに当接するまで挿入される。このとき、図２（ｂ）に示すように、包装シート３０が有する１２枚の外周片３０ａは、各外周片３０ａの表裏面が、規則的にその右隣り及び左隣りの外周片３０ａで挟まれる形で重なりながら連立する状態になる。
【００１８】
ここで、外周片３０ａが上述のように一方向に重なりながら連立する動作について、図３、図４に基づいて説明する。なお、図３、図４においては、説明の便宜上、５枚の外周片３ｏａが形成された図となっているが、上述の包装シート３０の動作原理と同様のものである。
【００１９】
図３に示すように、外周片３０ａ１は、左側は切込始点Ａ１と切込終点Ｂ１に沿って切り込み３５が入れられており、右側は切込始点Ａ２と切込終点Ｂ２に沿って切り込み３５が入れられている。一方、外周片３０ａ２は、左側は切込始点Ａ２と切込終点Ｂ１に沿って切り込み３５が入れられて、右側は切込始点Ａ３と切込終点Ｂ３に沿って切り込み３５が入れられている。そして、円筒状製品１２が包装シート３０を介して開口部１４ａに挿入されたとき、外周片３０ａ１は、おおよそ、切込終点Ｂ１，Ｂ２を結ぶ線に沿って折り曲げられることとなる。このとき、切込終点Ｂ１，Ｂ２を結ぶ線と切込始点Ａ１との距離ａ、および、切込終点Ｂ１，Ｂ２を結ぶ線と切込始点Ａ２との距離ｂは、次式のように表される。
【００２０】
ａ＝Ｒ１・ｃｏｓ（θ−α）−Ｒ２・ｃｏｓθ        （１）
ｂ＝Ｒ１・ｃｏｓ（θ＋α）−Ｒ２・ｃｏｓθ        （２）
ここで、Ｒ１は第一の円周Ｓ１の半径、Ｒ２は第二の円周Ｓ２の半径、θは３６０度を５等分した角度の２分の１の値、αは、中心点３０ｄと切込始点Ａ１を結ぶ直線と、中心点３０ｄと切込終点ｂ１を結ぶ直線との間の角度であってθ＞αである。
【００２１】
図３及び式（１）、（２）に示すように、距離ａと距離ｂとの間には、ａ＞ｂの関係が成立する。
【００２２】
円筒状製品１２が包装シート３０を介して開口部１４ａに挿入されたとき、外周片３０ａ１は、おおよそ、切込終点Ｂ１，Ｂ２を結ぶ線に沿って折り曲げられ、切込始点Ａ２に位置していた切込点部分Ａ２１が上昇する。それと同時に、外周片３０ａ２も、おおよそ、切込終点Ｂ２，Ｂ３を結ぶ線に沿って折り曲げられ、切込始点Ａ２に位置していた切込点部分Ａ２２が上昇する。そして、切込点部分Ａ２１と切込点部分Ａ２２が交差するように重なり合うことになる。
【００２３】
さらに、円筒状製品１２の挿入により外周片３０ａ１が角度βだけ折り曲げられたとき、図４（ｂ）に示すように、切込点部分Ａ２１は、Ｈ（Ａ２１）＝ｂ・ｓｉｎβの高さまで上昇している。また、図４（ｃ）に示すように、外周片３０ａ２が同じく角度βだけ折り曲げられたとき、切込点部分Ａ２２は、Ｈ（Ａ２２）＝ａ・ｓｉｎβの高さまで上昇している。したがって、距離ａと距離ｂとの間には、ａ＞ｂの関係があるため、折り曲げ角度βが０度から９０度に変化する過程において、切込点部分Ａ２２は、切込点部分Ａ２１よりも常に大きな折り曲げ高さとなり、先行して上昇する。すなわち、外周片を同時に折り曲げたとき、外周片３０ａ１と外周片３０ａ２との重なりは、常に外周片３０ａ２が内側に入り込むことになる。
【００２４】
このような原理によって、包装シート３０が有する１２個の外周片３０ａは、図２（ｂ）に示すように、各外周片３０ａの前後面が、その左右両隣りの外周片３０ａで挟まれる形で重なりながら連立した状態となる。
【００２５】
次に、図２（ｃ）に示すように、連立した１２枚の外周片３０ａを、円筒状製品１２の上面１２ｃの中心方向に向けてほぼ直角に折り曲げる作業が行われる。外周片３０ａは、円筒状製品１２の側面１２ａ上端部に沿って同時に内側に折り曲げられ、１２枚の外周片３０ａは、その左右両隣りの外周片に挟まれながら積み重なってきれいな平面を形成し、円筒状製品の上面１２ｃが覆われる。そして、上方から蓋１６を被せ、図示しない紐で縛って包装が完了する。
【００２６】
なお、外周片３０ａの形状は、包装後の状態として、上面中央部３４に隙間が生じず、かつ、しわや段差の原因となる余剰部分が発生しないよう設定されている。しかし、収容する円筒状製品１２の形状のばらつきや、包装作業時の位置決めのばらつき等によって、上記の隙間が生じたり、逆に余剰部分が生じてしわや段差が発生する場合が考えられる。そのようなときは、外周片３０ａの外形をあらかじめ小さめに形成してしわや段差の発生を防止し、さらに中央部３４に生じた隙間はシール片を貼る等して覆うようにしてもよい。
【００２７】
以上説明したように、本実施形態によれば、円筒状製品１２の側面１２ａ、底面１２ｂ、上面１２ｃを、一枚の包装シートで規則的な形状で簡単に覆うことができるので、包装作業における包装シートの取り扱いが容易である。また、包装後、包装シート表面にほとんどしわが発生せず見栄えのよい包装状態を実現することができる。しかも、梱包箱として使用される箱体１４が、そのまま折曲治具の働きし、シートの重なり部分を容易にきれいに仕上げることができる。さらに、包装シート３０は、簡単な抜き金型で切り出すことができ、包装の前加工としての折り曲げや部分接着等の作業は必要ない。
【００２８】
本実施形態は、例えば、薄い円筒状に形成される押し寿司の包装にも適している。この場合、押し寿司本体の外形と包装後の外形がほぼ同様に仕上がり、かさ張らないため、例えばお土産用に購入した人が持ち運ぶ時に重宝される等の利点がある。また、包装作業の自動化にも容易に対応できるので、大量に製造される押し寿司の包装の作業効率の向上に寄与することができる。
【００２９】
次に、本発明の包装シートの第二の実施形態を図５、図６に基づいて説明する。なお、前述の包装シート３０およびその包装方法と同様の構成は、同一の符号を付して説明を省略する。包装シート５０は、略円形の輪郭５２を有するシート材から切り出される。まず、図５に示すように、略円形の輪郭５２の内側に、中心点５０ｄを中心とする第一の円周Ｓ２上を１２等分する切込始点Ａが１２個設定される。また、同じく中心点５０ｄを中心とし、第一の円周Ｓ１よりも半径が小さい第二の円周Ｓ２上を１２等分するとともに、中心点５０ｄと切込始点Ａとを結ぶ直線から離れた位置に切込終点Ｂが１２個設定される。そして、輪郭５２内に１２枚の外周片３０ａを同様に形成し、切込始点Ａと、切込終点Ｂを結ぶ軌跡に切り込み５５が入れられ、包装シート５０となる。包装シート５０は、被包装物である円筒状製品５６の外形寸法に応じて設定されており、輪郭５２のサイズは、後述するように１２枚の舌片の先端部をリボン６２で束ねることができる程度に長めに設定されている。また、切込終点Ｂには応力分散用の切り込み５４が施されている。
【００３０】
以下、包装シート５０の各部位について、上記と同様に、第一の円周Ｓ１から第二の円周Ｓ２までの部位を中間部５０ｂ、第二の円周Ｓ２の内側の部位を内側部５０ｃと称する。
【００３１】
次に、この包装シート５０を用いた包装方法を説明する。本実施形態は第一の実施形態と異なり、梱包用の箱体を用いていない包装形態であるため、円筒状製品１２の外径よりも僅かに大きな開口部５８ａを有し、深さが円筒状製品５６の高さＨよりも深い円筒状の内形を備えた折曲治具５８を用いる。まず、図６（ａ）に示すように、包装シート５０を、第二の円周Ｓ２と開口部５８ａの中心点が合うように、折曲治具５８の上方に配置する。そして、円筒状製品５６を包装シート５０の上方に配置し、包装シート５０を介して開口部５８ａに挿入する。すると、包装シート５０の中間部５０ｂは、円筒状製品５６の側面５６ａと折曲治具５８の内側側面５８ｂに挟まれ、内側部５０ｃに対してほぼ垂直に折り曲げられる。そして、円筒製品５６は、底面５６ｂが内側部５０ｃを介して床面６０に当接するまで挿入される。このとき、図６（ｂ）に示すように、包装シート５０が有する１２枚の外周片５０ａは、各外周片の前後面が、その左右両隣りの外周片で挟まれる形で重なりながら連立する状態になる。外周片３０ａが一方向に重なりながら連立する動作については、第一の実施形態の場合と同様である。
【００３２】
次に、連立した１２枚の外周片５０ａを、外側から円筒状製品１２の上面１２ｃの中心方向に向けて折り曲げ、中心部分に集まった外周片５０ａの先端部をリボン６２で束ねて包装が完了する。
【００３３】
なお、本実施形態のようにリボン等で束ねる場合、布や紙などの比較的柔らかい素材の包装シートが好ましい。しかし、柔らか過ぎると、外周片５０ａが一方向に重なりながら連立する動作ができないおそれがあるので、その場合は、あらかじめ中間部３０ｂと内側部５０ｃに硬化処理（スプレーによるのり付け等）を施す等して、その形状を維持させればよい。
【００３４】
以上説明したように、本実施形態によれば、円筒状製品１２の側面１２ａ、底面１２ｂ、上面１２ｃの全体を、一枚の包装シートで覆うことができるので、包装作業における包装シートの取り扱いが容易である。また、本実施形態は、小粒の菓子類等が樹脂製の袋等に詰められ、その形態が変化する製品を包装する場合等にも適しており、本実施形態の包装シート及び方法を用いることによって容易に包装が可能で、また、優れた装飾効果を得ることができる。
【００３５】
なお、本発明は上記実施形態に限定するものではなく、第二の円周の外周片の数ｎは、その左右両隣りの外周片で挟まれながら連立することが可能な５枚以上の値であればよく、１２枚に限定するものではない。また、外周片は同一サイズの木の葉の形状に限定するものではなく、円筒状製品１２の側面１２ａ、底面１２ｂ、上面１２ｃの全体を覆うことができれば、輪郭は四角形や楕円等の任意の形状でよい。また、切込始点と切込終点を結ぶ切り込みの形状は直線に限定するものではなく、各切り込みが同一の形状であれば、緩慢な曲線などでもあってもよい。また、切込始点Ａ及び切込終点Ｂは、第一の円周Ｓ１又は第二の円周Ｓ２を厳密に均等分するものでなくてもよく、装飾の目的で多少の長短の変化を設けるなどしてもよい。
【図面の簡単な説明】
【００３６】
【図１】この発明の包装シートの第一の実施形態を示す平面図である。
【図２】第一の実施形態の包装シートを用いた包装方法を説明する横断面図及び斜視図である。
【図３】第一の実施形態の動作を説明する平面図である。
【図４】第一の実施形態の動作を説明する平面図及び側面図である。
【図５】この発明の包装シートの第二の実施形態を示す平面図である。
【図６】第二の実施形態の包装シートを用いた包装方法を説明する横断面図及び斜視図である。
【図７】従来の包装シートを示す平面図である。
【図８】従来の包装シートを用いた包装方法を説明する横断面図及び斜視図である。
【符号の説明】
【００３７】
１２，５６  円筒状製品
３０，５０  包装シート
３０ａ，５０ａ  外周片
３０ｂ，５０ｂ  中間部
３０ｃ，３０ｃ  内側部
３０ｄ，３０ｄ  中心点
３２  輪郭
３５，３６，５４，５５  切り込み
Ｓ１  第一の円周
Ｓ２  第二の円周
Ａ  切込始点
Ｂ  切込終点
【図１】
0004947802.tif 000002
【図２】
0004947802.tif 000003
【図３】
0004947802.tif 000004
【図４】
0004947802.tif 000005
【図５】
0004947802.tif 000006
【図６】
0004947802.tif 000007
【図７】
0004947802.tif 000008
【図８】
0004947802.tif 000009